(57)【要約】    【課題】  本発明の目的は、開いた状態で捕獲対象者に押しつけることにより自動的に閉じる刺股であって、一旦捕獲対象者を捕獲したときには容易に開くことのない構成とすることにより、１個の刺股で捕獲対象者を捕獲することを可能とした刺股１１、１２を提供することにある。  さらに、捕獲対象者を傷つけることがない刺股であって、少しばかり中心をずらして突いた場合でも、容易に捕獲することのできる刺股１１、１２を提供することにある。    【解決手段】  閉じたときに概略円環形状を構成するように弧形状の２本のアーム５、６を配置しこれを開閉可能に取り付け、２本のアーム５、６の中央部の間をワイヤ９で連結した刺股１１、１２とする。  また、アーム５の内側に複数の突起部材８を取り付けた刺股１１とする。さらには、アーム６の先端部に一方向クラッチ６ｃを介してゴム製のローラ７ｂを取り付けた刺股１２とする。【選択図】            図２
2007046853.tif 000002
【特許請求の範囲】
【請求項１】
柄部と、前記柄部に取り付けたベース部と、閉じたときに人間の胴を囲うように配置した弧形状の２本のアームであって、その片方の端部において前記ベース部と回り対偶で結合するアームと、２本の前記アームの中央部の間を連結する引張部材（帯、ロープ、紐、釣り糸、チェン、鎖、ワイヤ、針金など剛性がなく引張力のみを伝達する部材をいう。）とを有することを特徴とする刺股。
【請求項２】
柄部と、前記柄部に取り付けたベース部と、閉じたときに人間の胴を囲うように配置した弧形状の２本のアームであって、その片方の端部において前記ベース部と回り対偶で結合するアームと、前記アームの弧形状の内側に取り付けた複数の突起部材と、２本の前記アームの中央部の間を連結する引張部材とを有することを特徴とする刺股。
【請求項３】
柄部と、前記柄部に取り付けたベース部と、閉じたときに人間の胴を囲うように配置した弧形状の２本のアームであって、その片方の端部において前記ベース部と回り対偶で結合するアームと、２本の前記アームの中央部の間を連結する引張部材と、前記アームの他方の端部である先端部にそれぞれ取り付けたローラとを有することを特徴とする刺股。
【請求項４】
柄部と、前記柄部に取り付けたベース部と、閉じたときに人間の胴を囲うように配置した弧形状の２本のアームであって、その片方の端部において前記ベース部と回り対偶で結合するアームと、前記アームの弧形状の内側に取り付けた複数の突起部材と、２本の前記アームの中央部の間を連結する引張部材と、前記アームの先端部にそれぞれ取り付けたローラとを有することを特徴とする刺股。
【請求項５】
請求項３又は請求項４のいずれかに記載した刺股であって、ローラの外周面をゴムとしたことを特徴とする刺股。
【請求項６】
請求項３〜請求項５のいずれかに記載した刺股であって、ローラを一方向にのみ回転可能に取り付けたことを特徴とする刺股。
【請求項７】
請求項２又は請求項４のいずれかに記載した刺股であって、突起部材をゴム製とし、２本のアームのそれぞれ最も先端部に近い位置に取り付けた突起部材である背当突起の間隔を、アームを閉じたときに２２０ｍｍ以下になるように構成したことを特徴とする刺股。
【請求項８】
請求項１〜請求項７のいずれかに記載した刺股であって、引張部材を覆う軟質の保護材を取り付けたことを特徴とする刺股。
【発明の詳細な説明】
【技術分野】
【０００１】
本発明は、犯罪者等の捕獲対象者を確保するための刺股に係わり、開閉機能を有し捕獲対象者を容易に捕獲することを可能とした刺股に関するものである。
【背景技術】
【０００２】
従来の刺股は二股の先端部を有するものであった。捕獲対象者を確保するときには、複数の刺股を使用して捕獲対象者を押さえていた。
しかし、１個の刺股で捕獲対象者を捕獲することは困難であった。従来の刺股は開閉機能を持たないため、捕獲対象者が刺股から遠く離れて逃げることができるからである。
捕獲対象者を捕獲する機能を有する刺股についての発明としては、バネを有する摺動体を設け、摺動体を捕獲対象者に押し付けることにより開閉させる刺股の発明があった（例えば、特許文献１参照。）。しかし、係る発明は構成が複雑で高価なものとなる問題があった。
また、鞘状の押当て部の中に拘束部材を差し込み、拘束材をワイヤ等で出し入れする発明や、拘束部材の先端部分に連結して施錠する機能を持たせた発明があった（例えば、特許文献２参照。）。しかし、係る発明は精度の高い部品を要するため部品の製造に多くの手間と工数を要する問題があった。
また、安全装置レバーと、捕獲用レバーと及び可動レバーとからなる開閉式捕獲器の発明があった（例えば、特許文献３参照。）。しかし、係る発明は一度閉じると容易には開くことができず、一端操作を誤り立木や電信柱や柱などを押さえて閉じると、容易には再使用可能な状態にならない問題があった。
また、従来の刺股及び特許文献１〜３の発明はいずれも、その中心で捕獲対象者を捉えることができない場合などにおいて、その先端部で捕獲対象者を突いたとき相手に大きな衝撃を与えて捕獲対象者を傷つける問題と、捕獲対象者を捕獲することができない問題を有していた。
【特許文献１】特開２０００−２３０８００号公報
【特許文献２】特開２００３−２５４６９７号公報
【特許文献３】特開２００５−１６４１１２号公報
【発明の開示】
【発明が解決しようとする課題】
【０００３】
本発明は上記した従来技術の欠点を除くためなされたもので、開いた状態で捕獲対象者に押しつけることにより自動的に閉じる刺股であって、一旦捕獲対象者を捕獲したときには容易に開くことのない構成とすることにより、１個で捕獲対象者を捕獲することを可能とした刺股を提供することにある。
また、バネを有する摺動体を設け、摺動体を捕獲対象者に押し付けることにより開閉させる発明の有する、構成が複雑で高価なものとなる問題をなくし、構成が単純で安価な刺股を提供することにある。
また、鞘状の押当て部の中に拘束部材を差し込み、拘束材をワイヤ等で出し入れする発明や、拘束部材の先端部分に連結して施錠する機能を持たせた発明の有する、部品の製造に多くの手間と工数を要する問題をなくし、少ない手間と工数で製造可能な刺股を提供することにある。
また、安全装置レバーと、捕獲用レバー及び可動レバーとからなる開閉式捕獲器の発明が有する、一端操作を誤り立木や電信柱や柱などを押さえて閉じると、容易には再使用可能な状態にならない問題をなくし、即座に開いて再使用可能とすることのできる刺股を提供することにある。
また、従来の刺股及び特許文献１〜３の発明の有する、その中心で捕獲対象者を捉えないで先端部で捕獲対象者を突いたときに、相手に大きな衝撃を与えて捕獲対象者を傷つける問題と、捕獲対象者を捕獲できない問題をなくし、相手を傷つけることがない刺股であって、少しばかり中心をずらして突いた場合でも、捕獲対象者を捕獲することのできる刺股を提供することにある。
【課題を解決するための手段】
【０００４】
閉じたときに概略円環形状を構成するように２本の弧形状のアームを配置し、その片方の端部において、アームをベース部に対し回り対偶で結合させることにより、アームを開閉可能に取り付ける。
そして、２本のアームの中央部の間を引張部材（帯、ロープ、紐、釣り糸、チェン、鎖、ワイヤ、針金など剛性がなく引張力のみを伝達する部材をいう。）で連結した刺股とする。
また、アームの内側に複数の突起部材を取り付け、又はアームの先端部にローラを取り付け、さらにはアームの先端に取り付けたローラをゴム製とし一方向にのみ回転可能に取り付けた刺股とする。
【発明の効果】
【０００５】
本発明は２本のアームの中央部の間を引張部材で連結したため、開いた状態で捕獲対象者に対して引張部材を押しつけることにより、アームは自動的に閉じる刺股を提供することができた。
また、一旦捕獲対象者を捕獲したときには容易に開くことのない刺股であって、１個で捕獲対象者を確保することを可能とした刺股を提供することができた。
また、バネや摺動体を使用しない刺股であって、構成が単純で安価な刺股を提供することができた。さらに、少ない手間と工数で製造可能な刺股を提供することができた。
また、一端操作を誤り立木や電信柱や柱などを押さえて閉じた後であっても、即座に開くことが可能であって、常に使用可能な刺股を提供することができた。
また、先端にローラを取り付けたので、その先端部で捕獲対象者を突いたときに相手に大きな衝撃を与えず傷つけることがない刺股であって、少しばかり中心をずらして突いた場合でもローラが回転して、捕獲対象者を捕獲することのできる刺股を提供することができた。
さらにまた、本発明に係る刺股で捕獲対象者の胴を捕獲すると同時に、本発明に係る他の刺股を使用して両足を捕獲すると、捕獲対象者は座り込んでしまい容易に確保することができる効果があった。
【発明を実施するための最良の形態】
【０００６】
請求項１の発明は、柄部と、前記柄部に取り付けたベース部と、閉じたときに人間の胴を囲うように配置した弧形状の２本のアームであって、その片方の端部において前記ベース部と回り対偶で結合するアームと、２本の前記アームの中央部の間を連結する引張部材とを有する刺股とする。
捕獲対象者との距離を十分とるために柄部は長尺な棒状のものが好ましい。なるべく軽くて剛性のある柄とするため、木製の柄としたり合成樹脂やアルミ合金の管材を使用することが好ましい。また、短尺の複数の柄を組み合わせて長尺にする構成にすると、車で持ち運ぶときや収納時にスペースを取らず便利である。
ベース部はアームの根本においてアームを開閉可能に保持するものであり、ピンを介してアームと回転自由に連結する構成とすることが好ましい。また、アームが適宜開閉する開端と閉端にそれぞれストッパを取り付けることが好ましい。アームが無駄に開きすぎたり不必要に閉じすぎることがないようにするためである。
アームを閉じたときには人間の胴を囲うように配置するが、例えば、アームを閉じたときに概略円環形状や概略楕円環形状を構成するように配置することは好ましい。
弧形状のアームは円弧の一部でも概略弓形の形状でも良く、なるべく軽くて剛性のあるアームとするため、木製のアームとしたり合成樹脂やアルミ合金の管材を使用することが好ましい。また、アームが人の肌に触れたときに傷つけないため、柔らかい樹脂製やゴム製の保護材で被覆することも好ましい。
また、２本のアームの中央部を引張部材で連結する。そして、アームを開いた状態で人間の胴体に引張部材を押し当てたときに引張部材が湾曲しつつアームを引張り、引っ張られたアームが閉じるようにして、アームが閉じた状態において引張部材と２本のアームの先端部側とで人間の胴体を確保するように構成する。
引張部材としては帯、ロープ、紐、釣り糸、チェン、鎖、ワイヤ、針金など好ましく、人間の肌を傷つけるおそれがある場合は、軟質の保護材でカバーすることが好ましい。
【０００７】
請求項２の発明は、柄部と、前記柄部に取り付けたベース部と、閉じたときに人間の胴を囲うように配置した弧形状の２本のアームであって、その片方の端部において前記ベース部と回り対偶で結合するアームと、前記アームの弧形状の内側に取り付けた複数の突起部材と、２本の前記アームの中央部の間を連結する引張部材とを有する刺股とする。
本発明は請求項１の発明に対し、弧形状の２本のアームの内側に複数の突起部材を取り付けた点で異なる。突起部材はアームで直接人間の体に触れることを避け、複数の突起部材と引張部材とで直接人間の胴体を確保する構成にしたものである。
従って、突起部材としては人間の体を傷つけることのない軟質なものとし、特に弾性を有するゴム製とするとゴムとしては硬質のものであっても、人間の体を傷つけることなく人間の胴体を確保することができるため好ましい。
請求項３の発明は、柄部と、前記柄部に取り付けたベース部と、閉じたときに人間の胴を囲うように配置した弧形状の２本のアームであって、その片方の端部において前記ベース部と回り対偶で結合するアームと、２本の前記アームの中央部の間を連結する引張部材と、前記アームの他方の端部である先端部にそれぞれ取り付けたローラとを有する刺股とする。
本発明は、請求項１の発明に対し、アームの先端部にローラを取り付けた点で異なる。ローラは木製、合成樹脂製又はゴム製とすることが好ましく、人間の胴体に押し当てたときに体を傷つけず、また引っかかることなく回転して、人間の胴体が２本のアームで構成する空間に入るように案内するように構成したものである。
請求項４の発明は、柄部と、前記柄部に取り付けたベース部と、閉じたときに人間の胴を囲うように配置した弧形状の２本のアームであって、その片方の端部において前記ベース部と回り対偶で結合するアームと、前記アームの弧形状の内側に取り付けた複数の突起部材と、２本の前記アームの中央部の間を連結する引張部材と、前記アームの先端部にそれぞれ取り付けたローラとを有する刺股とする。
本発明は、請求項２の発明に対し、アームの先端部にローラを取り付けた点で異なる。ローラは木製、合成樹脂製又はゴム製とすることが好ましく、人間の胴体に押し当てたときに体を傷つけず、また引っかかることなく回転して、人間の胴体が２本のアームで構成する空間に入るように案内するように構成したものである。
【０００８】
請求項５の発明は、請求項３又は請求項４のいずれかに記載した刺股であって、ローラの外周面をゴムとした刺股とする。
ローラの外周面をゴムとすることにより、人間の胴体等に押し付けたときに体を傷つけることがなく、摩擦抵抗の高い材料とすることにより、服地や肌との間に滑りを発生することなく回転するようにしたものである。
請求項６の発明は、請求項３〜請求項５のいずれかに記載した刺股であって、ローラを一方向にのみ回転可能に取り付けた刺股とする。
具体的な構成としては、ローラの軸部に一方向クラッチを取り付けたり、ラチェットホイールとラチェットを組み合わせた逆転防止機構を取り付ける方法など好ましい。
人間の胴体等を２本のローラの間に案内する方向には自由に回転するが、その逆の方向には回転しないように構成して、一旦アームが閉じた後はアームが開く方向にはローラが回転しないようにしたものである。
請求項７の発明は、請求項２又は請求項４のいずれかに記載した刺股であって、突起部材をゴム製とし、２本のアームのそれぞれ最も先端部に近い位置に取り付けた突起部材である背当突起の間隔を、アームを閉じたときに２２０ｍｍ以下になるように構成した刺股とする。
突起部材をゴム製としたのは、これらの材料が軟質で弾性を有することから、人間の体を傷つけることがなく人間の胴体を確保することができるため好ましく、また摩擦抵抗が高く滑らないため好ましいからである。
さらに、アームを閉じたときに背当突起の間隔を２２０ｍｍ以下になるように構成すると、２個の背当突起が背中に当たり、人間の肌や服地との間で滑ることがなく、このため確保した捕獲対象者が後ろに向かって後退してもアームが開くことはないからである。
請求項８の発明は、請求項１〜請求項７のいずれかに記載した刺股であって、引張部材をカバーする軟質の保護材を取り付けた刺股とする。
保護材としては布、ゴム、皮、合成樹脂、スポンジなど人間の肌を保護することができるものが好ましい。引張部材に軟質の保護材を取り付けることにより、人間の体を傷つけることのない刺股とすることができるからである。
【実施例１】
【０００９】
以下実施例１の刺股の開いた状態を図１に、閉じた状態を図２に示し説明する。実施例１の刺股１１はアルミ合金のパイプからなる柄部１及び弧形状の２本のアーム５と、アルミ合金の板からなるベース部３を有する構成とした。
２本のアーム５は図２に示したように、閉じたときに概略円環形状を構成するように、互いに弧形状の内側を向けあって配置し、その片方の端部においてベース部３とピン３ａを介して回転可能に結合させた。そして、図１に示した状態よりさらにアーム５が開かないように、また、図２に示した状態よりさらにアーム５が閉じないように、ベース部３にストッパ３ｂを取り付けた。
また、２本のアーム５の中央部にはピン５ｂを設け、２本のピン５ｂの間をワイヤ９でつなぐことにより、２本のアーム５の中央部の間を引張部材たるワイヤ９で連結し、さらにワイヤ９をカバーする保護材９ａを取り付けた。
そして、アーム５の内側であって閉じたときに人の胴に触れる位置に複数個のゴム製の突起部材８を取り付け、さらに、２本のアーム５のそれぞれ最も先端部に近い位置に取り付けた突起部材８である２個の背当突起８ａの間隔を、アーム５を閉じたときに１９０ｍｍになるようにした。
さらに、アーム５の先端部に軸５ａを介して回転自由に木製のローラ７ａを取り付けた。また、実施例１の刺股１１では、ピン３ａとアーム５との間の回転抵抗を緩くして取り付けた。
【００１０】
実施例１の刺股１１は上記のように構成されており、以下その作用について説明する。使用者は両手で柄部１を持って２本のアーム５を捕獲対象者に向けて立ち向かう。
２本のアーム５の中心を捕獲対象者の胴体に向けて突き出すと、捕獲対象者の胴体は２本のアーム５の間に入ってワイヤ９を押す。このときワイヤ９は捕獲対象者の胴体に沿ってたわむため、ワイヤ９に引っ張られて２本のアーム５は閉じる。２本のアーム５が閉じると、捕獲対象者はワイヤ９と複数の突起部材８に囲まれて捕獲される。
実施例１の刺股１１では、２本のアーム５の先端部にローラ７ａを取り付けたので、２本のアーム５の間と捕獲対象者の胴の中心がずれて、一方のアーム５の先端で捕獲対象者の胴体を突いた場合でも、捕獲対象者の胴体を傷つけることがなく、さらに、ローラ７ａが回転して捕獲対象者の胴体が２本のアーム５の間に入るよう案内する作用がある。  
また、捕獲対象者の体に触れるのは木製のローラ７ａと、２本のアーム５の内側に取り付けたゴム製の突起部材８と、ワイヤ９に取り付けた保護材９ａであるので、捕獲対象者の体を傷つけることはなく安全である。
そして、一旦２本のアーム５が閉じて捕獲対象者を捕獲した後に、捕獲対象者が後ずさりして逃れようとしたときには、２個の背当突起８ａが捕獲対象者の背中に当たり、背当突起８ａと捕獲対象者の体や衣服との間に高い摩擦抵抗が発生して滑ることはないので、アーム５が開くことはない。  
本実施例の刺股１１では、ピン３ａとアーム５との間の回転抵抗を緩くして取り付けたため、アーム５を少し上にして柄部１を持つと自然にアーム５が開く。このため、一端操作を誤り立木や電信柱や柱などを押さえてアーム５が閉じた後であっても即座に開くことが可能であり、熟練者が使用するに適した刺股である。
【実施例２】
【００１１】
以下実施例２の刺股の開いた状態を図３に、閉じた状態を図４に示し説明する。実施例２の刺股１２は肌に優しい合成樹脂のパイプからなる柄部２及び弧形状の２本のアーム６と、合成樹脂の板からなるベース部４を有する構成とした。
２本のアーム６は図４に示したように、閉じたときに概略円環形状を構成するように、互いに弧形状の内側を向けあって配置し、その片方の端部においてベース部４とピン４ａを介して回転可能に結合させた。そして、図３に示した状態よりさらにアーム６が開かないように、また、図４に示した状態よりさらにアーム６が閉じないように、ベース部４にストッパ４ｂを取り付けた。
また、２本のアーム６の中央部にはピン６ｂを設け、２本のピン６ｂの間をワイヤ９でつなぐことにより、２本のアーム６の中央部の間を引張部材たるワイヤ９で連結し、ワイヤ９をカバーする保護材９ａを取り付けた。
そして、アーム６の先端部に軸６ａ及び一方向クラッチ６ｃを介してゴム製のローラ７ｂを取り付け、矢印方向１０には回転するが逆方向には回転しないように構成した。
実施例２の刺股１２では、ピン４ａとアーム６との間の回転抵抗を少しきつく取り付け、人間が手に持って振ったぐらいではアーム６が開閉しないが、人間が手で開くことは容易な程度に調節した。
【００１２】
実施例２の刺股１２は上記のように構成されており、以下その作用について説明する。使用者は両手で柄部２を持って２本のアーム６を捕獲対象者に向けて立ち向かう。
２本のアーム６の中心を捕獲対象者の胴体に向けて突き出すと、捕獲対象者の胴体は２本のアーム６の間に入ってワイヤ９を押す。このときワイヤ９は捕獲対象者の胴体に沿ってたわむため、ワイヤ９に引っ張られて２本のアーム６は閉じる。２本のアーム６が閉じると、捕獲対象者はワイヤ９と２本のアーム６の間に囲まれて捕獲される。
実施例２の刺股１２では、２本のアーム６の先端部にローラ７ｂを取り付けたので、２本のアーム６の間と捕獲対象者の胴体の中心がずれて、一方のアーム６の先端で捕獲対象者の胴体を突いた場合でも、捕獲対象者の胴体を傷つけることがなく、さらに、ローラ７ｂが矢印方向１０に回転して捕獲対象者の胴体が２本のアーム６の間に入るよう案内する作用がある。  
また、捕獲対象者の体に触れる２本のアーム６は肌に優しい合成樹脂とし、ワイヤ９にも保護材９ａ取り付けたので、捕獲対象者の体を傷つけることはなく安全である。
そして、一旦２本のアーム６が閉じて捕獲対象者を捕獲した後に、捕獲対象者が後ずさりして逃れようとしたときには、２個のローラ７ｂが捕獲対象者の背中に当たり、ゴム製のローラ７ｂと捕獲対象者の体や衣服との間に高い摩擦抵抗が発生し、またローラ７ｂは矢印方向１０とは逆の方向に回転することはないので、アーム６が開くことはない。
実施例２の刺股１２では、人間が振ったくらいではアーム６は開閉しないが、人間が手で開くことは容易である。このため、一端操作を誤り立木や電信柱や柱などを押さえてアーム５が閉じた後であっても即座に開くことが可能であり、初心者が使用するに適した刺股である。
【産業上の利用可能性】
【００１３】
本発明は、刺股を製造販売する産業で利用されるだけでなく、警察、消防、警備保証のように未然に犯罪を防いだり犯罪者を確保することの多い産業、及び学校、駅、デパート、スーパーマーケットなど人が多く集まるサービス産業で利用される。
【図面の簡単な説明】
【００１４】
【図１】実施例１の刺股の開いた状態を表した正面図である。
【図２】実施例１の刺股の閉じた状態を表した正面図である。
【図３】実施例２の刺股の開いた状態を表した正面図である。
【図４】実施例２の刺股の閉じた状態を表した正面図である。
【符号の説明】
【００１５】
１  ：柄部                ２  ：柄部                ３  ：ベース部
３ａ：ピン                ３ｂ：ストッパ            ４  ：ベース部
４ａ：ピン                ４ｂ：ピン                ５  ：アーム
５ａ：軸                  ５ｂ：ピン                ６  ：アーム
６ａ：軸                  ６ｂ：ピン                ６ｃ：一方向クラッチ
７ａ：ローラ              ７ｂ：ローラ              ８  ：突起部材
８ａ：背当突起            ９  ：ワイヤ              ９ａ：保護材
１０  ：矢印方向          １１  ：刺股              １２  ：刺股
【図１】
2007046853.tif 000003
【図２】
2007046853.tif 000004
【図３】
2007046853.tif 000005
【図４】
2007046853.tif 000006